Podtech/llm-jp-corpus-v4-ja_patent huggingface dataset:
【手続補正書】
【提出日】平成17年11月18日(2005.11.18)
【手続補正１】
【補正対象書類名】特許請求の範囲
【補正対象項目名】全文
【補正方法】変更
【補正の内容】
【特許請求の範囲】
【請求項１】
データシンボルをメディア信号から抽出する方法であって、前記データシンボルは、量子化ステップサイズを用いたホスト信号の量子化及びディザベクトルによる前記量子化された信号のディザリングによって前記メディア信号に埋め込まれる、方法において、所定の範囲のディザ値を有する選択された信号サンプルのヒストグラムから、前記受信されたメディア信号の前記量子化ステップサイズを推定するステップと、前記推定されたステップサイズを用いて前記データシンボルを前記メディア信号から抽出するステップとを有することを特徴とする方法。
【請求項２】
請求項1に記載の方法において、ディザ値の前記範囲は、適用可能なディザ値の範囲の所定の部分である、方法。
【請求項３】
請求項1に記載の方法において、前記選択された信号サンプルは、所定のデータシンボルが埋め込まれた所定の信号サンプルである、方法。
【請求項４】
請求項1に記載の方法において、前記量子化ステップサイズは、前記ヒストグラムのフーリエ変換を用いて計算される、方法。
【請求項５】
量子化ステップサイズを用いて前記ホスト信号を量子化し、ディザベクトルによって前記量子化された信号をディザリングすることによって、データシンボルをホスト信号に埋め込む方法において、所定のデータシンボルを前記ホスト信号の所定のサンプルに埋め込むステップを含むことを特徴とする方法。
【請求項６】
データシンボルをメディア信号から抽出するための装置であって、前記データシンボルは、量子化ステップサイズを用いたホスト信号の量子化と、前記データシンボルによる量子化インデックスの変調と、ディザベクトルによる前記量子化された信号のディザリングとによって前記メディア信号に埋め込まれる、装置において、所定の範囲のディザ値を有する選択された信号サンプルのヒストグラムを作り、該ヒストグラムから、前記受信されたメディア信号の前記量子化ステップサイズを計算する、手段を含むことを特徴とする装置。
【請求項７】
請求項6に記載の装置において、前記選択された信号サンプルは、所定のデータシンボルが埋め込まれた所定の信号サンプルである、装置。
【請求項８】
データシンボルをホスト信号に埋め込む装置であって、当該埋込みは、量子化ステップサイズを用いて前記ホスト信号を量子化し、前記データシンボルによって量子化インデックスを変調し、ディザベクトルによって前記量子化された信号をディザリングすることによって行われる、装置において、所定のデータシンボルを前記ホスト信号の所定のサンプルに埋め込むための手段を含む装置。
【請求項９】
埋め込まれたデータシンボルを有する信号であって、量子化ステップサイズを用いたホスト信号の量子化と、前記データシンボルによる量子化インデックスの変調と、ディザベクトルによる前記量子化された信号のディザリングとによって得られる信号サンプルを有する、信号において、前記ホスト信号の所定のサンプルに埋め込まれた所定のデータシンボルを含むことを特徴とする信号。
【手続補正書】
【提出日】平成18年6月7日(2006.6.7)
【手続補正１】
【補正対象書類名】特許請求の範囲
【補正対象項目名】全文
【補正方法】変更
【補正の内容】
【特許請求の範囲】
【請求項１】
糖尿病または前糖尿病の患者を治療するための薬剤を同定する方法であって、以下の工程を含む方法：
（i）配列番号:8、配列番号:10、および配列番号:12からなる群より選択されるアミノ酸配列を有するポリペプチドをコードする核酸にストリンジェントな条件下でハイブリダイズする核酸によってコードされる、CX3CR1ポリペプチドまたはそのリガンド結合断片を含む溶液を薬剤と接触させる工程；ならびに
（ii）CX3CR1ポリペプチドまたはそのリガンド結合断片の発現または活性を増加させる薬剤を選択し、それによって糖尿病または前糖尿病の患者を治療するための薬剤を同定する工程。
【請求項２】
インスリン感受性を調節する薬剤を選択する工程をさらに含む、請求項1記載の方法。
【請求項３】
糖尿病を有する動物に薬剤を投与する工程、および薬剤の投与前の血糖値と比較した血糖値の減少について動物を試験する工程を含む、請求項1記載の方法。
【請求項４】
インスリン抵抗性を示す動物に薬剤を投与する工程、および薬剤の投与前のインスリンレベルと比較したインスリンレベルの減少について動物を試験する工程を含む、請求項1記載の方法。
【請求項５】
患者からの生物学的試料中のフラクタルキンのレベルを検出する工程を含む、患者における2型糖尿病または2型糖尿病に対する素因を診断する方法であって、
糖尿病でない個体または患者からの以前の試料のいずれかにおけるフラクタルキンのレベルと比較して、試料中のフラクタルキンのレベルが増加すれば、患者が糖尿病または前糖尿病であることを示し；かつ
フラクタルキンポリペプチドが、配列番号:2、配列番号:4、配列番号:6、および配列番号:13からなる群より選択されるアミノ酸配列を有するポリペプチドをコードする核酸にストリンジェントな条件下でハイブリダイズする核酸によってコードされる、方法。
【手続補正書】
【提出日】平成18年6月23日(2006.6.23)
【手続補正１】
【補正対象書類名】特許請求の範囲
【補正対象項目名】全文
【補正方法】変更
【補正の内容】
【特許請求の範囲】
【請求項１】
被験体において、選択された部位を閉塞するためのシステムであって、該システムは以下：
該選択された部位にアクセスするための手段；
該選択された部位に、迅速に拡張する組成物を投与し、それによって、該部位を閉塞するための手段
を備える、システム。
【請求項２】
前記組成物が１つ以上の発泡体を含む、請求項１に記載のシステム。
【請求項３】
前記発泡体がポリウレタンを含む、請求項２に記載のシステム。
【請求項４】
前記組成物が水分との接触に際して迅速に拡張する、請求項１〜３のいずれかに記載のシステム。
【請求項５】
前記組成物が、圧力の減少に際して迅速に拡張する、請求項１〜３のいずれかに記載のシステム。
【請求項６】
前記組成物が互いに接触して迅速に拡張する２つの物質を含む、請求項１〜３のいずれかに記載のシステム。
【請求項７】
前記投与するための手段が、前記組成物をカテーテルから押し出すための手段を備える、請求項１〜６のいずれかに記載のシステム。
【請求項８】
前記組成物がさらなる物質との接触に際して迅速に拡張し、ここで該接触が、前記カテーテルの先端部においてである、請求項７に記載のシステム。
【請求項９】
前記物質が、前記カテーテルからの押出しの圧力の減少に応答して迅速に拡張する、請求項７に記載のシステム。
【請求項１０】
１つ以上の生物活性物質を投与するための手段をさらに備える、請求項１〜９のいずれかに記載のシステム。
【請求項１１】
前記生物活性物質が前記組成物の前に投与される、請求項１０に記載のシステム。
【請求項１２】
前記生物活性物質が前記組成物と同時に投与される、請求項１０に記載のシステム。
【請求項１３】
前記生物活性物質が前記組成物に続いて投与される、請求項１０に記載のシステム。
【請求項１４】
前記生物活性物質が、サイトカイン；微量金属、抗生物質およびそれらの組み合せからなる群から選択される、請求項１０に記載のシステム。
【請求項１５】
前記選択された部位が動脈瘤である、請求項１〜１４のいずれかに記載のシステム。
【請求項１６】
前記組成物が迅速に硬化する、請求項１〜１５のいずれかに記載のシステム。
【請求項１７】
前記組成物が脱水発泡体を含む、請求項４に記載のシステム。
【請求項１８】
前記脱水発泡体がコラーゲンを含む、請求項１７に記載のシステム。
【手続補正書】
【提出日】平成18年5月8日(2006.5.8)
【手続補正１】
【補正対象書類名】特許請求の範囲
【補正対象項目名】全文
【補正方法】変更
【補正の内容】
【特許請求の範囲】
【請求項１】
約１５〜約３０ヌクレオチド長のオリゴヌクレオチドであって、配列番号４、配列番号５および配列番号６、それらに対する相補体、またはそれらの誘導体からなる群から選択される配列をコードする配列の少なくとも１０個連続したヌクレオチドを含む、オリゴヌクレオチド。
【請求項２】
配列番号４、配列番号５および配列番号６、それらに対する相補体、またはそれらの誘導体からなる群から選択される配列をコードする配列の少なくとも１５個連続したヌクレオチドを含む、請求項１に記載のオリゴヌクレオチド。
【請求項３】
配列番号１、配列番号２および配列番号３、それらに対する相補体、またはそれらの誘導体からなる群から選択される配列を含む、請求項１に記載のオリゴヌクレオチド。
【請求項４】
プライマー対であって、以下：
（ａ）約１５〜約３０ヌクレオチド長の第１プライマーであって、配列番号４、配列番号５および配列番号６、それらに対する相補体、またはそれらの誘導体からなる群から選択される配列をコードする配列の少なくとも１０個連続したヌクレオチドを含む、第１プライマー；および
（ｂ）該第１プライマーの配列を含まず、かつＴ細胞中のＴ細胞レセプター遺伝子のＶβ〜Ｃβの領域で見出される、約１５〜約３０ヌクレオチド長の核酸を含む第２プライマー
を含み、ここで、該第１プライマーの配列および該第２プライマーの配列が、該Ｔ細胞レセプター遺伝子の同じ鎖において見出されない、プライマー対。
【請求項５】
オリゴヌクレオチドプローブであって、以下：
（ａ）約１０〜約３０ヌクレオチド長のオリゴヌクレオチドであって、配列番号４、配列番号５および配列番号６、それらに対する相補体、またはそれらの誘導体からなる群から選択される配列をコードする配列の少なくとも１０個連続したヌクレオチドを含む、オリゴヌクレオチド、ならびに
（ｂ）標識部分
を含む、オリゴヌクレオチドプローブ。
【請求項６】
前記標識部分が、３２Ｐ、３５Ｓ、ビオチンおよびジゴキシゲニンからなる群から選択される、請求項５に記載のオリゴヌクレオチドプローブ。
【請求項７】
配列番号４、配列番号５および配列番号６、またはそれらの誘導体からなる群から選択されるＴ細胞レセプターモチーフを発現するＭＢＰ８３−９９  Ｔ細胞を検出する方法であって、以下：
（ａ）ＭＢＰ８３−９９  Ｔ細胞から核酸サンプルを得る工程；
（ｉ）該核酸サンプルを、プライマー対と接触させる工程であって、該プライマー対が、以下：
（ｉｉ）約１５〜約３０ヌクレオチド長の第１オリゴヌクレオチドであって、配列番号４、配列番号５および配列番号６、それらに対する相補体、またはそれらの誘導体からなる群から選択される配列をコードする配列の少なくとも１０個連続したヌクレオチドを含む、第１オリゴヌクレオチド、および
（ｉｉｉ）該第１オリゴヌクレオチドの配列を含まず、かつＴ細胞中のＴ細胞レセプター遺伝子のＶβ〜Ｃβの領域で見出される、約１５〜約３０ヌクレオチド長の第２オリゴヌクレオチド
から選択され、ここで、該第１オリゴヌクレオチドの配列および該第２オリゴヌクレオチドの配列が、該Ｔ細胞レセプター遺伝子の同じ鎖において見出されない、工程；ならびに
（ｂ）該Ｔ細胞レセプターモチーフをコードする核酸の存在を検出する工程
を包含する、方法。
【請求項８】
前記核酸サンプルのフラグメントが、ポリメラーゼ連鎖反応（ＰＣＲ）によって増幅される、請求項７に記載の方法。
【請求項９】
前記検出工程が、以下：
（ａ）オリゴヌクレオチドであって、配列番号４、配列番号５および配列番号６、それらに対する相補体、またはそれらの誘導体からなる群から選択される配列をコードする配列を含む、オリゴヌクレオチド；ならびに
（ｂ）標識部分
を含むオリゴヌクレオチドプローブを用いてプロービングすることを含む、請求項８に記載の方法。
【請求項１０】
前記検出工程が、オートラジオグラフィを含む、請求項８に記載の方法。
【請求項１１】
約１５〜約３０ヌクレオチド長の第１オリゴヌクレオチドを含む、試験キットであって、該第１オリゴヌクレオチドは、配列番号４、配列番号５および配列番号６、それらに対する相補体、またはそれらの誘導体からなる群から選択される配列をコードする配列の少なくとも１０個連続したヌクレオチドを含む、試験キット。
【請求項１２】
前記第１オリゴヌクレオチドの配列を含まず、かつＴ細胞中のＴ細胞レセプター遺伝子のＶβ〜Ｃβの領域で見出される、約１５〜約３０ヌクレオチド長の第２オリゴヌクレオチドをさらに含み、ここで、該第１オリゴヌクレオチドの配列および該第２オリゴヌクレオチドの配列が、該Ｔ細胞レセプター遺伝子の同じ鎖において見出されない、請求項１１に記載の試験キット。
【請求項１３】
標識部分をさらに含み、該標識部分が、３２Ｐ、３５Ｓ、ビオチンおよびジゴキシゲニンからなる群から選択される、請求項１１に記載の試験キット。
【請求項１４】
自己免疫疾患をモニタリングするためにデータを集める方法であって、以下：
（ａ）ヒトからＭＢＰ８３−９９  Ｔ細胞を得る工程；
（ｂ）配列番号４、配列番号５および配列番号６、またはそれらの誘導体からなる群から選択される配列をコードする核酸の存在を検出する工程；
（ｉ）ＭＢＰ８３−９９  Ｔ細胞から核酸サンプルを得る工程；
（ｉｉ）該核酸サンプルを、プライマー対と接触させる工程であって、該プライマー対が、以下：
ａ．約１５〜約３０ヌクレオチド長の第１オリゴヌクレオチドであって、配列番号４、配列番号５および配列番号６、それらに対する相補体、またはそれらの誘導体からなる群から選択される配列をコードする配列の少なくとも１０個連続したヌクレオチドを含む、第１オリゴヌクレオチド；
ｂ．該第１オリゴヌクレオチドの配列を含まず、かつＴ細胞中のＴ細胞レセプター遺伝子のＶβ〜Ｃβの領域で見出される、約１５〜約３０ヌクレオチド長の第２オリゴヌクレオチド
から選択され、ここで、該第１オリゴヌクレオチドの配列および該第２オリゴヌクレオチドの配列が、該Ｔ細胞レセプター遺伝子の同じ鎖において見出されない、工程；ならびに
ｃ．該Ｔ細胞レセプターモチーフをコードする核酸の存在を検出する工程；そして該核酸が検出される場合、
（ｃ）該核酸の量を定量する工程
を包含する、方法。
【請求項１５】
第１ペプチドを含み、必要に応じて薬学的に受容可能なキャリアを含む、ワクチンであって、該第１ペプチドは、配列番号４、配列番号５および配列番号６、またはそれらの誘導体からなる群より選択される配列を含む、ワクチン。
【請求項１６】
配列番号４、配列番号５および配列番号６、またはそれらの誘導体からなる群から選択される配列を含む少なくとも１つの第２ペプチド、および必要に応じて薬学的に受容可能なキャリアをさらに含み、ここで、該第１ペプチドの配列と該第２ペプチドの配列とが異なる、請求項１５に記載のワクチン。
【請求項１７】
自己免疫疾患を処置するための組成物であって、請求項１５または１６のいずれか１項に記載のワクチンを含む、組成物。
【手続補正書】
【提出日】平成18年5月23日(2006.5.23)
【手続補正１】
【補正対象書類名】特許請求の範囲
【補正対象項目名】全文
【補正方法】変更
【補正の内容】
【特許請求の範囲】
【請求項１】
（a）共役リノール酸低級アルキルエステルを、水により、酵素の存在下、アルコールを連続除去しながら加水分解し、
（b）その水解物を、有機層及び水／アルコール層に分離し、
（c）共役リノール酸を含む有機層を、未反応共役リノール酸低級アルキルエステルから分離する、
共役リノール酸の製造方法。
【請求項２】
式（Ｉ）：
R1CO-OR2          （Ｉ）
［式中、R1CO は共役二重結合を含むリノール酸のアシル基であり、R2 は 1〜4 個の炭素原子を含む直鎖または分枝アルキル基である。］
に相当する共役リノール酸低級アルキルエステルを使用することを特徴とする請求項１に記載の方法。
【請求項３】
加水分解を、遊離または固定形状のリパーゼ及び／またはエステラーゼにより行うことを特徴とする請求項１または２に記載の方法。
【請求項４】
加水分解を、Alcaligenes、Aspergillus niger、Candida antarctica A、Candida antarctica B、Candida cylindracea、Chromobacterium viscosum、Rhizomucor miehei、Penicilium camenberti、Penicilium roqueforti、Porcine pancreas、Pseudomonas cepacia、Pseudomonas fluorescens、Rhizopus javanicus、Rhizopus oryzae、Thermomyces lanugenosus からなる微生物の群から選ばれる微生物のリパーゼ及び／またはエステラーゼにより行うことを特徴とする請求項１〜３のいずれかに記載の方法。
【請求項５】
加水分解を 20〜80 ℃の温度で行うことを特徴とする請求項１〜４のいずれかに記載の方法。
【請求項６】
加水分解を 60〜100 重量％の転化率で行うことを特徴とする請求項１〜５のいずれかに記載の方法。
【請求項７】
加水分解の間、反応器内で水分量が 30〜70 重量％で保たれ、アルコール／水混合物を 20〜60±5 mbar の減圧によって連続的に除去することを特徴とする請求項１〜６のいずれかに記載の方法。
【請求項８】
加水分解の間、反応器内で水分量が 0〜20 重量％で調整され、アルコール／水混合物を 20〜60±5 mbar の減圧によって連続的に除去することを特徴とする請求項１〜６のいずれかに記載の方法。
【請求項９】
加水分解を、多段で、減圧せずに、各段で 50〜75 重量％の水を使用して行うことを特徴とする請求項１〜６のいずれかに記載の方法。
【手続補正書】
【提出日】平成18年1月10日(2006.1.10)
【手続補正１】
【補正対象書類名】特許請求の範囲
【補正対象項目名】請求項４０
【補正方法】変更
【補正の内容】
【請求項４０】
被験者の遺伝子欠損を修正するための薬物の調製における、核酸分子の使用であって、該核酸分子が、
a) 幹細胞内で発現されたプレmRNAへの該核酸分子の結合をターゲットする1以上の標的結合ドメイン、ただし、該プレmRNAは遺伝子欠損を含む遺伝子によりコードされるものであること；および
b) 標的プレmRNAにトランススプライシングされるヌクレオチド配列、ただし、該トランススプライシングは遺伝子欠損の修正をもたらすこと；
を含んでなり、該核酸分子は該幹細胞内の核スプライシング成分により認識されるものである、核酸分子の使用。
【手続補正書】
【提出日】平成18年4月21日(2006.4.21)
【手続補正１】
【補正対象書類名】特許請求の範囲
【補正対象項目名】全文
【補正方法】変更
【補正の内容】
【特許請求の範囲】
【請求項１】
シャンクフライスカッタ（１）をフライス盤に固定するためのシャンク部（２）と、ワークと係合するための刃部（３）とを備え、前記刃部の包絡面が端部直径Ｄｃを有した概略円筒形状であり、少なくとも一つの主切刃（５）が前記刃部の外周表面に配設されているとともに、少なくとも一つの副切刃（７）が前記刃部の端面に配設されているシャンクフライスカッタにおいて、
前記シャンクフライスカッタの軸線を含む平面に投影した前記副切刃（７）は凸状に湾曲した部分を有し、該部分は、ｒwiper＞Ｄｃ／２の曲率半径ｒwiperと、前記シャンクフライスカッタの軸線からｄOffset＜Ｄｃ／２の距離ｄOffsetの位置に位置する湾曲中心Ｍとを有することを特徴とするシャンクフライスカッタ。
【請求項２】
前記曲率半径ｒwiperがｒwiper＞０．６６Ｄｃである、請求項１に記載のシャンクフライスカッタ。
【請求項３】
前記曲率半径ｒwiperが８００ｍｍより小さい、請求項２に記載のシャンクフライスカッタ。
【請求項４】
前記副切刃（７）に設けられた前記曲率半径ｒwiperで湾曲した部分が一部をなす仮想上の円の前記中心が前記シャンクフライスカッタの回転軸線の外部に設けられている、すなわち、ｄOffset＞０である、請求項１から請求項３の何れか一項に記載のシャンクフライスカッタ。
【請求項５】
前記中心Ｍと前記回転軸線（１０）との間の前記距離ｄOffsetは、Ｄｃ／６以上である、請求項４に記載のシャンクフライスカッタ。
【請求項６】
前記中心Ｍと前記回転軸線（１０）との間の前記距離ｄOffsetは、Ｄｃ／４より大きい、請求項５に記載のシャンクフライスカッタ。
【請求項７】
前記中心Ｍと前記回転軸線（１０）との間の前記距離ｄOffsetは、Ｄｃ／３より大きい、請求項６に記載のシャンクフライスカッタ。
【請求項８】
前記主切刃（５）から前記副切刃（７）への遷移部によって形成されている切刃コーナ部（６）がコーナ半径ｒεを有しており、ｒεはＤｃ／２より小さい、請求項１から請求項７の何れか一項に記載のシャンクフライスカッタ。
【請求項９】
前記主切刃（５）と前記副切刃（７）との間の遷移部によって形成されている切刃コーナ部（６）が先端面取り部を有している、請求項１から請求項７の何れか一項に記載のシャンクフライスカッタ。
【請求項１０】
前記先端面取り部の傾斜面は、前記回転軸線（１０）に垂直な面に対して３０°から６０°の範囲の角度傾いている、請求項９に記載のシャンクフライスカッタ。
【請求項１１】
前記先端面取り部の傾斜面は、前記回転軸線（１０）に垂直な面に対して４０°から５０°の範囲の角度傾いている、請求項１０に記載のシャンクフライスカッタ。
【請求項１２】
前記副切刃（７）が少なくとも１°の逃げ角（８）で配置されている、請求項１から請求項１１の何れか一項に記載のシャンクフライスカッタ。
【請求項１３】
前記逃げ角（８）は１．５°から１０°の範囲である、請求項１２に記載のシャンクフライスカッタ。
【請求項１４】
前記逃げ角（８）は２．５°から１０°の範囲である、請求項１３に記載のシャンクフライスカッタ。
【請求項１５】
前記刃部（３）は少なくとも一部が超硬合金から形成されている、請求項１から請求項１４の何れか一項に記載のシャンクフライスカッタ。
【請求項１６】
前記刃部（３）は少なくとも一部が、サーメット、多結晶ダイヤモンド、立方晶窒化ホウ素又は窒化ケイ素系セラミックから形成されている、請求項１から請求項１４の何れか一項に記載のシャンクフライスカッタ。
【請求項１７】
前記シャンクフライスカッタはエンドミルカッタである、請求項１から請求項１６の何れか一項に記載のシャンクフライスカッタ。
【手続補正２】
【補正対象書類名】明細書
【補正対象項目名】００２８
【補正方法】変更
【補正の内容】
【００２８】
本発明による副切刃７の形態は、図２ｂ及び図２ｃに縮尺を拡大して示した詳細図で明らかになっている。この場合も、図２ｂ及び図２ｃは、実質的に、切刃コーナ部が一方では曲率半径Ｒεの部分を備えており、他方では回転軸線に直角な面に対して４５°だけ傾いた先端面取り部を備えている点において異なっている。大きな曲率半径ｒwiperを有した副切刃の湾曲した部分が、回転軸線１０の方向における切刃コーナ部６に設けられている。曲率半径ｒwiperを測定するときの中心Ｍは、回転軸線１０上に配置されるのではなく、オフセット値Ｏｆｆｓｅｔwiperだけ回転軸線１０から離れている。オフセット値Ｏｆｆｓｅｔwiperは、ここでは、端部直径Ｄｃの三分の一よりも大きい。曲率半径ｒwiperは端部直径の半分よりも大きくなっている一方、例えば、切刃コーナ部の曲率半径は端部直径の半分よりも大幅に小さくなっている。
【手続補正書】
【提出日】平成18年3月30日(2006.3.30)
【手続補正１】
【補正対象書類名】特許請求の範囲
【補正対象項目名】全文
【補正方法】変更
【補正の内容】
【特許請求の範囲】
【請求項１】
液体透過性上部シート（２）、液体不透過性下部シート（３）、及びそれらの間に封入された吸収体（４）を含む、おむつ、パンツおむつ、成人用失禁ガード、衛生ナプキン及びそれらの類似物品の如き吸収物品であって、前記物品が装着者の皮膚に移動可能であるようにその少なくとも一部の上に適用されたスキンケア組成物を有し、前記組成物が２１℃で固体であり、かつ
ａ）２５〜３７℃の範囲で溶融し、かつ合成ワックス、パラフィン、脂肪酸エステル、ポリヒドロキシ脂肪酸エステル、脂肪アルコール、アルコキシル化脂肪酸エステル、アルコキシル化脂肪アルコール及びこれらの化合物の混合物からなる群から選択される成分５〜７０重量％、及び
ｂ）成分ａ）の融点より少なくとも５℃高い融点を有し、かつパラフィン、ポリヒドロキシ脂肪酸エステル、Ｃ１４−Ｃ２２脂肪アルコール、Ｃ１２−Ｃ２２脂肪酸、脂肪アルコール及び脂肪エステルのアルコキシル化誘導体及びこれらの化合物の混合物からなる群から選択される成分５〜７０重量％
を少なくとも含むものにおいて、
前記組成物がさらに成分として
ｃ）部分グリセリド、エチレングリコールジエステル及びポリマーワックスからなる群から選択される結晶化促進剤５〜２５重量％を含み、結晶化促進剤が４５〜７０℃の範囲の融点を有すること、及び組成物が５重量％未満の水を含むことを特徴とする吸収物品。
【請求項２】
成分ｂ）が４０〜６０℃の範囲の融点を有することを特徴とする請求項１に記載の吸収物品。
【請求項３】
成分ａ）が８〜１８個の炭素原子を有する脂肪酸のグリセリドの混合物から、好ましくは部分グリセリドの工業銘柄混合物及び／又はグリセリドとの混合物から選択されることを特徴とする請求項１又は２に記載の吸収物品。
【請求項４】
成分ｂ）が８〜１８個の炭素原子を有する脂肪酸のグリセリドの混合物から、好ましくは部分グリセリドの工業銘柄混合物及び／又はグリセリドとの混合物から選択されることを特徴とする請求項１〜３のいずれかに記載の吸収物品。
【請求項５】
成分ａ）及び／又は成分ｂ）が各々、ココナット脂肪酸のグリセロールトリエステル又は部分エステルを含み、その混合物が各場合において請求項１〜４のいずれかに規定された範囲の融点を有することを特徴とする請求項１〜４のいずれかに記載の吸収物品。
【請求項６】
Ｃ１２−Ｃ２１脂肪酸を有するグリセロール部分エステル、好ましくはグリセロールモノラウレートが成分ｃ）として存在することを特徴とする請求項１〜５のいずれかに記載の吸収物品。
【請求項７】
ポリビニルステアリルエーテルが成分ｃ）として存在することを特徴とする請求項１〜６のいずれかに記載の吸収物品。
【請求項８】
スキンケア組成物が成分ａ）を１０〜６０重量％の量で、成分ｂ）を１０〜６０重量％の量で、及び成分ｃ）を１０〜２５重量％の量で含むことを特徴とする請求項１〜７のいずれかに記載の吸収物品。
【請求項９】
スキンケア組成物が３５〜６５℃、好ましくは３５〜５０℃、特に３５〜４５℃の範囲の融点を有することを特徴とする請求項１〜８のいずれかに記載の吸収物品。
【請求項１０】
スキンケア組成物がシリコーンワックスを１〜６重量％、好ましくは１．５〜５．５重量％、特に２〜５重量％の量で含むことを特徴とする請求項１〜９のいずれかに記載の吸収物品。
【請求項１１】
スキンケア組成物が皮膚に優しい及び／又はスキンケア物質を０．１〜１０重量％、好ましくは１〜８重量％、特に２〜６重量％の量で含むことを特徴とする請求項１〜１０のいずれかに記載の吸収物品。
【請求項１２】
スキンケア組成物が水を０．５〜３重量％、好ましくは０．５〜２重量％、特に０．５〜１．５重量％の量で含むことを特徴とする請求項１〜１１のいずれかに記載の吸収物品。
【請求項１３】
スキンケア組成物が成分ａ）として３０〜３３℃の融点を有するココナット脂肪酸のグリセロールエステルの混合物５０〜６０重量％、成分ｂ）として５７〜６０℃の融点を有する線状不飽和脂肪アルコール１０〜２０重量％、成分ｃ）として４５〜４８℃の融点を有するポリビニルステアリルエーテル１５〜２０重量％、及び所望によりシリコーンワックス２〜５重量％、及びスキンケア物質５〜１０重量％を含むことを特徴とする請求項１〜１２のいずれかに記載の吸収物品。
【請求項１４】
スキンケア組成物が物品の上部シート（２）の少なくとも一部の上に適用されることを特徴とする請求項１〜１３のいずれかに記載の吸収物品。
【請求項１５】
異なる量のスキンケア組成物が上部シートの異なる領域に適用されることを特徴とする請求項１４に記載の吸収物品。
【請求項１６】
上部シート材料の意図した湿潤領域が上部シート材料のその周囲領域と比較して少ない量のスキンケア組成物を含有するか又はスキンケア組成物を全く含有しないことを特徴とする請求項１５に記載の吸収物品。
【請求項１７】
スキンケア組成物が弾性部材、ベルト、繊維などの物品のいずれかの材料及び成分上に適用され、それが物品の使用中、例えば液体透過性上部シートを介して装着者の皮膚と接触することを特徴とする請求項１〜１６のいずれかに記載の吸収物品。
【請求項１８】
少なくとも二つの異なるスキンケア組成物が物品の異なる領域に適用されることを特徴とする請求項１〜１７のいずれかに記載の吸収物品。
【手続補正２】
【補正対象書類名】明細書
【補正対象項目名】００３１
【補正方法】変更
【補正の内容】
【００３１】
図面は幼児又は失禁症の成人のためのおむつ１の一例を示し、前記おむつは液体透過性上部シート２、液体不透過性下部シート３及びそれらの間に封入された吸収体４を含むシャシを典型的に含む。液体透過性上部シート２は、スパンボンド式、メルトブロー式、カード式、水流交絡式、ウェットレイ式などによる不織材料からなることができる。適切な不織材料は、木材パルプもしくは綿繊維のような天然繊維；ポリエステル、ポリエチレン、ポリプロピレン、ビスコースなどの人造繊維；又は天然繊維と人造繊維の混合物で構成されることができる。この上部シート材料は、さらに例えばＥＰ−Ａ−１０３５８１８号に開示されているように結合パターンで互いに結合できるトウ繊維で構成されていてもよい。上部シート材料のさらなる例は多孔質フォーム、有孔プラスチックフィルムなどである。上部シート材料として適切な材料は、柔軟でかつ皮膚を刺激せず、尿もしくは月経液などの体液を即座に透過するものでなければならない。
【手続補正書】
【提出日】平成18年3月27日(2006.3.27)
【手続補正１】
【補正対象書類名】特許請求の範囲
【補正対象項目名】全文
【補正方法】変更
【補正の内容】
【特許請求の範囲】
【請求項１】
高分子材料の１層のフィルム１、
パッケージ用印刷インキを印刷又は塗布することにより得られる１層の印刷層、及び
別の１層のフィルム２
を少なくとも含むパッケージを製造するための多層材料において、
印刷層が２層のフィルムの間に配置され、そして
パッケージ用印刷インキが、バインダとして、ＯＨ基、ＣＯＯＨ基及びＣＯＯＲ基から選択される官能基を含む少なくとも１種の超分岐ポリエステルを含み、且つ超分岐ポリエステルの酸価が１〜２００ｍｇＫＯＨ／ｇで、そのＯＨ価が５０〜５００ｍｇＫＯＨ／ｇであることを特徴とする多層材料。
【請求項２】
印刷層が、フィルム１又はフィルム２に直接印刷されている請求項１に記載の多層材料。
【請求項３】
フィルム１が多層フィルムである請求項１又は２に記載の多層材料。
【請求項４】
フィルム１が、ポリエチレンフィルム、ポリプロピレンフィルム、ポリスチレンフィルム、ポリエステルフィルム及びポリアミドフィルムから選択されるフィルムである請求項１〜３のいずれかに記載の多層材料。
【請求項５】
フィルム１が、ＰＥＴフィルム、ＰＥＮフィルム及びポリアミドフィルムから選択される極性フィルムである請求項４に記載の多層材料。
【請求項６】
別のフィルム２が、金属化ポリマーフィルムを含むポリマーフィルム及び金属箔から選択されるフィルムである請求項１〜５のいずれかに記載の多層材料。
【請求項７】
別のフィルム２がポリオレフィンフィルムである請求項６に記載の多層材料。
【請求項８】
さらに臭気遮断層を含む請求項１〜７のいずれかに記載の多層材料。
【請求項９】
さらに１層以上の接着層を含む請求項１〜８のいずれかに記載の多層材料。
【請求項１０】
さらに、下塗層又は保護層として、少なくとも１層のワニス層を含む請求項１〜９のいずれかに記載の多層材料。
【請求項１１】
ワニス層が、バインダとして、ＯＨ基、ＣＯＯＨ基及びＣＯＯＲ基から選択される官能基を含む少なくとも１種の超分岐ポリエステルを含む請求項１０に記載の多層材料。
【請求項１２】
超分岐ポリエステルが、ＣＯＯＨ基及びＯＨ基を含む請求項１〜１１のいずれかに記載の多層材料。
【請求項１３】
１種の溶剤又は異種の溶剤の混合物、少なくとも１種の色材、少なくとも１種の高分子バインダ、及びさらに必要により添加剤を、少なくとも含むフレキソ印刷及び／又はグラビア印刷用のパッケージ用印刷インキであって、
高分子バインダの少なくとも１種が、ＯＨ基、ＣＯＯＨ基及びＣＯＯＲ基から選択される官能基を含む超分岐ポリエステルであり、且つ超分岐ポリエステルの酸価が１〜２００ｍｇＫＯＨ／ｇで、そのＯＨ価が５０〜５００ｍｇＫＯＨ／ｇであることを特徴とするパッケージ用印刷インキ。
【請求項１４】
請求項１３に記載のパッケージ用印刷インキを、ポリマーフィルム又は金属箔を印刷するために使用する方法。
【請求項１５】
請求項１３に記載のパッケージ用印刷インキを、多層材料を製造するために使用する方法。
【請求項１６】
１種の溶剤又は異種の溶剤の混合物、少なくとも１種の高分子バインダ、及びさらに必要により添加剤を、少なくとも含む印刷ワニスであって、
高分子バインダの少なくとも１種が、ＯＨ基、ＣＯＯＨ基及びＣＯＯＲ基から選択される官能基を含む超分岐ポリエステルであり、且つ超分岐ポリエステルの酸価が１〜２００ｍｇＫＯＨ／ｇで、そのＯＨ価が５０〜５００ｍｇＫＯＨ／ｇである含むことを特徴とする印刷ワニス。
【請求項１７】
請求項１６に記載の印刷ワニスを、ポリマーフィルム又は金属箔に下塗りするために、又は保護層として、使用する方法。
【請求項１８】
請求項１６に記載の印刷ワニスを、多層材料を製造するために使用する方法。
【手続補正書】
【提出日】平成18年6月2日(2006.6.2)
【手続補正１】
【補正対象書類名】特許請求の範囲
【補正対象項目名】全文
【補正方法】変更
【補正の内容】
【特許請求の範囲】
【請求項１】
水晶体乳化システムと共に用いるための吸引チューブにおいて、
第１端および第２端を有し、かつ該第１端と第２端との間に延在する内腔を形成する内面を有する一定長さのチューブ
を備え、
前記内面は、前記内腔を通る流体の流れに対する抵抗を高める前記内腔と連通する複数の凹部または隆起をさらに画成している
ことを特徴とする吸引チューブ。
【請求項２】
前記凹部または隆起は、前記第１端と前記第２端との間において前記内面の全長に沿って配置されていることを特徴とする、請求項１に記載の吸引チューブ。
【請求項３】
前記凹部または隆起は、前記チューブの長さの１つ以上の区分に沿って配置されていることを特徴とする、請求項１に記載の吸引チューブ。
【請求項４】
前記凹部は、螺旋襞を形成していることを特徴とする、請求項１に記載の吸引チューブ。
【請求項５】
前記隆起は、螺旋状に配列される環状の隆線を形成していることを特徴とする、請求項１に記載の吸引チューブ。
【請求項６】
前記凹部または隆起は、前記内腔の周囲に沿って規則的な間隔で離間されていることを特徴とする、請求項１に記載の吸引チューブ。
【請求項７】
前記吸引チューブを水晶体乳化システムに直列に連結するために、前記第１端および前記第２端に配置されるアダプターをさらに備えていることを特徴とする、請求項１に記載の吸引チューブ。
【請求項８】
水晶体乳化システムと共に用いる吸引チューブにおいて、
第１端および第２端を有し、かつ該第１端と第２端との間に延在する内腔を形成する内面を有する一定長さのチューブと、
前記内面の近くにおける層流の形成を阻止し、前記内腔を通る流体の流れに対する抵抗を高めるために、前記内腔内に配置される自在に移動する物体と
を備えていることを特徴とする吸引チューブ。
【請求項９】
前記自在に移動する物体は、羽根またはプロペラであることを特徴とする、請求項８に記載の吸引チューブ。
【請求項１０】
前記吸引チューブを水晶体乳化システムに直列に連結するために、前記第１端および前記第２端に配置されるアダプターをさらに備えていることを特徴とする、請求項８に記載の吸引チューブ。
【請求項１１】
水晶体乳化システムと共に用いる装置において、
第１端および第２端を有し、かつ該第１端と第２端との間に延在する内腔を形成する内面を有する一定長さのチューブ
を備え、
前記一定長さのチューブは、前記内腔を通る流体の流れに対する抵抗を高めるために、その内面に形成される特徴部を備えている
ことを特徴とする装置。
【請求項１２】
前記特徴部は、前記一定長さのチューブの内面に形成される凹部であることを特徴とする、請求項１１に記載の装置。
【請求項１３】
前記凹部は、螺旋襞を形成していることを特徴とする、請求項１２に記載の装置。
【請求項１４】
前記特徴部は、前記内腔内において内方に突出する隆起であることを特徴とする、請求項１１に記載の装置。
【請求項１５】
前記隆起は、螺旋状に配置される環状隆線を形成していることを特徴とする、請求項１４に記載の装置。
【請求項１６】
前記特徴部は、前記内腔の周囲に沿って規則的な間隔で離間されていることを特徴とする、請求項１１に記載の装置。
【請求項１７】
前記一定長さのチューブを水晶体乳化システムに直列に連結するために、前記第１端および前記第２端に配置されるアダプターをさらに備えていることを特徴とする、請求項１１に記載の装置。
【請求項１８】
水晶体乳化システムと共に用いる装置において、
第１端および第２端を有し、かつ該第１端と第２端との間に延在する内腔を形成する内面を有する一定長さのチューブであって、前記内腔を通る流体の流れに対する抵抗を高めるために、その内面に形成される特徴部を備えている吸引チューブを有していることを特徴とする装置。
【請求項１９】
前記自在に移動する物体は、羽根またはプロペラであることを特徴とする、請求項１８に記載の装置。
【手続補正書】
【提出日】平成17年10月25日(2005.10.25)
【手続補正１】
【補正対象書類名】特許請求の範囲
【補正対象項目名】全文
【補正方法】変更
【補正の内容】
【特許請求の範囲】
【請求項１】
癌を治療または管理するための医薬組成物の調製における、マイコバクテリウムｗまたはマイコバクテリウムｗ成分の使用。
【請求項２】
癌組織の量を減少させるための医薬組成物の調製における、マイコバクテリウムｗまたはマイコバクテリウムｗ成分の使用。
【請求項３】
医薬組成物が、放射線治療または化学療法の癌治療効果を向上させるために使用するものである、請求項１または２に記載の使用。
【請求項４】
医薬組成物が、放射線治療または化学療法の副作用を減少させるために使用するものである、請求項１〜３のいずれか１項に記載の使用。
【請求項５】
副作用が、血液副作用である、請求項４に記載の使用。
【請求項６】
化学療法の延期を避けるために血液副作用を減少させる、請求項５に記載の使用。
【請求項７】
血液副作用が、白血球減少症、血小板減少症、貧血症、吐気、嘔吐、または粘膜症である請求項５に記載の使用。
【請求項８】
マイコバクテリウムｗが、死菌のマイコバクテリウムｗである、請求項１〜７のいずれか一項に記載の使用。
【請求項９】
マイコバクテリウムｗが、物理的方法によって殺菌されたものである、請求項８に記載の使用。
【請求項１０】
物理的方法が、熱を加えることである、請求項９に記載の使用。
【請求項１１】
オートクレーブにより熱を加える、請求項１０に記載の使用。
【請求項１２】
超音波処理によりマイコバクテリウムｗの成分を得る、請求項１〜７のいずれか一項に記載の使用。
【請求項１３】
抽出によりマイコバクテリウムｗの成分を得る、請求項１〜７のいずれか一項に記載の使用。
【請求項１４】
有機溶媒によってマイコバクテリウムｗの成分を抽出する、請求項１３に記載の使用。
【請求項１５】
有機溶媒が、クロロホルム、エタノール、メタノール、アセトン、フェノール、イソプロピルアルコール、酢酸、尿素、およびヘキサンから選択されるものである、請求項１４に記載の使用。
【請求項１６】
医薬組成物が１以上のアジュバントを含むものである、請求項１〜１５のいずれか一項に記載の使用。
【請求項１７】
医薬組成物がさらに界面活性剤を含むものである、請求項１〜１６のいずれか一項に記載の使用。
【請求項１８】
界面活性剤が、ポリオキシエチレン(20)ソルビタンモノオレエートである、請求項１７に記載の使用。
【請求項１９】
医薬組成物が、該医薬組成物の0.4％重量／容量以下の量の界面活性剤を含むものである、請求項１７または１８に記載の使用。
【請求項２０】
界面活性剤が、医薬組成物の0.1％重量／容量以下の量である、請求項１９に記載の使用。
【請求項２１】
マイコバクテリウムｗがウレアーゼ陰性であり、ポリオキシエチレン(20)ソルビタンモノオレエートを加水分解せず、ナイアシンを産生せず、硝酸還元試験に強い陽性反応を示すものである、請求項１〜２０のいずれか一項に記載の使用。
【請求項２２】
医薬組成物が、単独で投与される、または他の治療方法と組み合わされるものである、請求項１〜２１のいずれか一項に記載の使用。
【請求項２３】
医薬組成物が、非経口的経路で投与されるためのものである、請求項１〜２２のいずれか一項に記載の使用。
【請求項２４】
医薬組成物が、筋内、皮下、または皮内経路による投与のためのものである、請求項１〜２３のいずれか一項に記載の使用。
【請求項２５】
医薬組成物が、少なくとも105個細胞のマイコバクテリウムｗを含む１回量剤形である、請求項１〜２４のいずれか一項に記載の使用。
【請求項２６】
医薬組成物が、少なくとも107個細胞のマイコバクテリウムｗを含む１回量剤形である、請求項２５に記載の使用。
【請求項２７】
医薬組成物が、108〜1010個細胞のマイコバクテリウムｗを含む１回量剤形である、請求項２６に記載の使用。
【請求項２８】
医薬組成物がさらに保存料を含むものである、請求項１〜２７のいずれか一項に記載の使用。
【請求項２９】
癌が、原発性または二次的な（転移性の）病巣である、請求項１〜２８のいずれか一項に記載の使用。
【請求項３０】
明細書、特に実施例を参照して実質的に記載された、癌の治療または管理に使用するための医薬組成物の調製における、マイコバクテリウムｗまたはマイコバクテリウムｗ成分の使用。
【手続補正書】
【提出日】平成17年9月27日(2005.9.27)
【手続補正１】
【補正対象書類名】明細書
【補正対象項目名】００３２
【補正方法】変更
【補正の内容】
【００３２】
例１４は、ヘプタンの代わりにアセトニトリルを用いた以外は例１３と同じである。
例１５は、ヘプタンの代わりにイソブタノールを用いた以外は例１３と同じである。
例１６は、ヘプタンの代わりに水を用いた以外は例１３と同じである。
【手続補正書】
【提出日】平成18年2月24日(2006.2.24)
【手続補正１】
【補正対象書類名】特許請求の範囲
【補正対象項目名】全文
【補正方法】変更
【補正の内容】
【特許請求の範囲】
【請求項１】
エタン−１，２−ジアミニウムビス［（２Ｒ）−２−ブロモ−３−フェニルプロパノエート］。
【請求項２】
純度が９８％より高いかまたは等しい請求項１に記載のエタン−１，２−ジアミニウムビス［（２Ｒ）−２−ブロモ−３−フェニルプロパノエート]。  
【請求項３】
鏡像異性体純度が８３.４％ｅｅより高い請求項１または２に記載のエタン−１，２−
ジアミニウムビス［（２Ｒ）−２−ブロモ−３−フェニルプロパノエート］。
【請求項４】
鏡像異性体純度が９５％ｅｅより高いかまたは等しい請求項３に記載のエタン−１，２−ジアミニウムビス［（２Ｒ）−２−ブロモ−３−フェニルプロパノエート］。
【請求項５】
ａ）（２Ｒ）−２−ブロモ−３−フェニルプロピオン酸、エチレンジアミンおよび２−プロパノールを混合し、そしてエタン−１，２−ジアミニウムビス［（２Ｒ）−２−ブロモ−３−フェニルプロパノエート］を結晶化し、そして
ｂ）結晶化したエタン−１，２−ジアミニウムビス［（２Ｒ）−２−ブロモ−３−フェニルプロパノエート］を単離する
ことを包含する、エタン−１，２−ジアミニウムビス［（２Ｒ）−２−ブロモ−３−フェニルプロパノエート］を製造する方法。
【請求項６】
エタン−１，２−ジアミニウムビス［（２Ｒ）−２−ブロモ−３−フェニルプロパノエート］生成物が、出発物質の（２Ｒ）−２−ブロモ−３−フェニルプロピオン酸より高い化学的純度を有する請求項５に記載の方法。
【請求項７】
エタン−１，２−ジアミニウムビス［（２Ｒ）−２−ブロモ−３−フェニルプロパノエート］生成物の化学的純度が９２.５％より高い請求項６に記載の方法。
【請求項８】
エタン−１，２−ジアミニウムビス［（２Ｒ）−２−ブロモ−３−フェニルプロパノエ
ート］生成物の化学的純度が少なくとも９８％である請求項６または７に記載の方法。
【請求項９】
結晶化したエタン−１，２−ジアミニウムビス［（２Ｒ）−２−ブロモ−３−フェニルプロパノエート］を、濾過で取出すかまたは吸引濾過で取出し、２−プロパノールにより洗浄しそして乾燥することによって工程段階ｂ）で単離する請求項５〜８のいずれか１項に記載の方法。
【請求項１０】
請求項１〜４のいずれか１項に記載のエタン−１，２−ジアミニウムビス［（２Ｒ）−２−ブロモ−３−フェニルプロパノエート］のＡＣＥ／ＮＥＰ阻害剤を製造するための使用。
【請求項１１】
はじめに酸の添加により、（２Ｒ）−２−ブロモ−３−フェニルプロピオン酸をエタン−１，２−ジアミニウムビス［（２Ｒ）−２−ブロモ−３−フェニルプロパノエート］から中間的にまたは別個な段階で放出させ、次いで（２Ｒ）−２−ブロモ−３−フェニルプロピオン酸を式（II）
【化１】
2005528358.tif 000001
（式中、
Ｒ1はＨ、−ＣＨ2Ｏ−Ｃ(Ｏ)Ｃ(ＣＨ3)3、Ｃ1〜Ｃ4−アルキルまたはアリール−Ｙ−基であり、ここでＹは単一結合またはＣ1〜Ｃ4−アルキルであり、そして
Ｚは(ＣＨ2)n、−Ｏ−、Ｓ、ＮＲ6またはＮ−Ｃ(Ｏ)Ｒ7であり、ここでｎは整数０または１であり、Ｒ6はＨ、Ｃ1〜Ｃ4−アルキルまたはアリール−Ｙ−基であり、またＲ7はＣＦ3、Ｃ1〜Ｃ10−アルキルまたはアリール−Ｙ−基である）の化合物と反応させ、そしてチオアセテートと反応させて、式（Ｉ）
【化２】
2005528358.tif 000002
（式中、Ｒ3はＨ、アセチル、−ＣＨ2−Ｏ−Ｃ(Ｏ)Ｃ(ＣＨ3)3またはベンゾイルである）の化合物を得、そして場合によってチオアセテートを反応させ遊離のチオールを得るか、
または
（２Ｒ）−２−ブロモ−３−フェニルプロピオン酸を反応させて（Ｓ）−２−（アセチルチオ）−３−フェニルプロピオン酸を得、次いで式（II）の化合物と反応させて式（Ｉ）の化合物を得、そして場合によってはチオアセテートを反応させて遊離のチオールを得るか
のいずれかからなる、式（Ｉ）の化合物を製造する方法。
【請求項１２】
式（Ｉ）の化合物が式（Ｉａ）
【化３】
2005528358.tif 000003
または式（Ｉｂ）
【化４】
2005528358.tif 000004
の化合物によって表される請求項１１に記載の方法。
【請求項１３】
はじめに酸の添加により、（２Ｒ）−２−ブロモ−３−フェニルプロピオン酸をエタン−１，２−ジアミニウムビス［（２Ｒ）−２−ブロモ−３−フェニルプロパノエート］から中間的にまたは別個な段階で放出させ、次いで（２Ｒ）−２−ブロモ−３−フェニルプロピオン酸を反応させて（Ｓ）−２−（アセチルチオ）−３−フェニルプロピオン酸を得、そしてさらなる段階で（アセチルチオ）−３−フェニルプロピオン酸を式（IV）の化合物
【化５】
2005528358.tif 000005
と反応させて式（III）
【化６】
2005528358.tif 000006
の化合物を得ることからなる、式（III）の化合物を製造する方法。
【手続補正書】
【提出日】平成18年3月17日(2006.3.17)
【手続補正１】
【補正対象書類名】特許請求の範囲
【補正対象項目名】全文
【補正方法】変更
【補正の内容】
【特許請求の範囲】
【請求項１】
うつ病の治療方法であって、うつ病を患っている患者に、ブプレノルフィンを含んでいる経皮投薬形態を投与し、これによって患者におけるうつ病の１つもしくはそれ以上の症状を緩和することを含む方法。
【請求項２】
うつ病を患っている患者への、ブプレノルフィンを含んでいる第一、第二、および第三経皮投薬物の連続投与を含むうつ病の治療方法であって、第三投薬物が、第一および第二投薬物よりも高い投薬量のブプレノルフィンを含み、これによって患者におけるうつ病の１つもしくはそれ以上の症状を緩和する方法。
【請求項３】
この経皮投薬形態が、経皮投薬物および経皮投薬組成物からなる群から選択される、請求項１又は２に記載の方法。
【請求項４】
この経皮投薬物が、拡散駆動経皮系である、請求項３に記載の方法。
【請求項５】
この経皮投薬組成物は、局所ジェル、ローション、軟膏、経粘膜系、経粘膜器具、およびイオン導入送達系からなる群から選択される、請求項３に記載の方法。
【手続補正書】
【提出日】平成17年10月24日(2005.10.24)
【手続補正１】
【補正対象書類名】明細書
【補正対象項目名】００１４
【補正方法】変更
【補正の内容】
【００１４】
粘着力増強物質として特に適しているのは、下記群の物質である：ポリエチレン、ポリプロピレン、エチレン−メタクリル酸共重合体の塩（特にNa塩またはZn塩；例えば市販製品Du PontのSurlyn）、ポリブテン、ポリイソブチレン、ポリスチレン、スチレン−ブタジエン−スチレンブロック共重合体、スチレン−イソプレン−スチレンブロック重合体、ポリ塩化ビニル、ポリ塩化ビニリデン、ポリウレタン、ポリアミド、ポリスルホン、ポリ酢酸ビニル、ポリビニルアルコール、ポリエチレングリコール、ポリオキシエチレン、ポリビニルブチラルおよびエチレン−酢酸ビニル共重合体。後者のポリマーが特に好ましく用いられる。
【手続補正２】
【補正対象書類名】明細書
【補正対象項目名】００２７
【補正方法】変更
【補正の内容】
【００２７】
透過性増強剤（増強剤）として適しているのは、例えば、下記物質または物質類を含む群から選択される物質である：飽和もしくは不飽和脂肪酸、脂肪酸エステル、特にメタノール、エタノールもしくはイソプロパノールとのエステル（例えば、オレイン酸エチルエステル、オレイン酸メチルエステル、ラウリン酸メチルエステル、ラウリン酸エチルエステル、アジピン酸メチルエステル、アジピン酸エチルエステル）、直鎖もしくは分枝脂肪酸アルコールもしくはそのエステル、特に酢酸もしくは乳酸とのエステル（例えば、オレイン酸エチル、ラウリン酸エチル、パルミチン酸エチル、乳酸エチル、乳酸プロピル、パルミチン酸プロピル、ラウリン酸プロピル、オレイン酸プロピル）、多価脂肪族アルコールもしくはポリエチレングリコール、ソルビタン脂肪酸エステルおよびエトキシ化により得られるその誘導体、脂肪族エトキシレート、ポリオキシエチレン脂肪酸エステル；ラウリン酸ジエタノールアミド、オレイン酸ジエタノールアミド、ココナッツ脂肪酸ジエタノールアミド、D-アルファトコフェロール、ラウリン酸ヘキシルエステル、2-オクチルドデカノール、デキスパンテロール、イソプロピリデングリセロール、トランスクトール（=ジエチレングリコールモノエチルエーテル）、DEET（=N,N-ジエチル-m-トルエンアミド）、ソルケタール、エタノール、1,2-プロパンジオールもしくは他の短鎖アルコール（すなわち6個までの炭素原子を有するアルコール）、メントールおよび他の精油もしくは精油成分。
【手続補正書】
【提出日】平成18年2月22日(2006.2.22)
【手続補正１】
【補正対象書類名】特許請求の範囲
【補正対象項目名】全文
【補正方法】変更
【補正の内容】
【特許請求の範囲】
【請求項１】
活性化プロテインＣおよびキレート化剤を含む医薬組成物。
【請求項２】
活性化プロテインＣ；キレート化剤；および再構築希釈剤、静脈内注入溶液剤、およびそれらの混合物からなる群から選ばれる希釈剤を含む医薬組成物。
【請求項３】
キレート化剤が希釈剤中に存在する、請求項２記載の組成物。
【請求項４】
活性化プロテインＣ；キレート化剤；マンニトール、トレハロース、ラフィノース、スクロース、およびそれらの混合物からなる群から選択される充填剤；塩化カリウムおよび塩化ナトリウムからなる群から選択される塩；ならびにトリス−酢酸、クエン酸ナトリウム、リン酸ナトリウム、およびそれらの混合物からなる群から選択される、再構築すると製剤のｐＨが約５．５から約６．５となる緩衝液を含む凍結乾燥製剤。
【請求項５】
再構築活性化プロテインＣ、およびキレート化剤を含む希釈剤を含む医薬組成物であって、
該活性化プロテインＣが、活性化プロテインＣ；キレート化剤；マンニトール、トレハロース、ラフィノース、スクロース、およびそれらの混合物からなる群から選択される充填剤；塩化カリウムおよび塩化ナトリウムからなる群から選択される塩；ならびにトリス−酢酸、クエン酸ナトリウム、リン酸ナトリウム、およびそれらの混合物からなる群から選択される、再構築すると製剤のｐＨが約５．５から約６．５となる緩衝液を含む凍結乾燥製剤から再構築され、
該希釈剤が再構築希釈剤、静脈内注入溶液剤、およびそれらの混合物からなる群から選択される
医薬組成物。